(57)【要約】【課題】押し操作時の操作感を高めることが可能なスイッチ装置を提供する。【解決手段】スイッチ装置１は、開口２０を有する筐体２と、開口２０を覆う可撓性を有するカバー部材３と、カバー部材３の外面３ａが押圧されることに応動して筐体２内で移動するプッシュノブ４と、プッシュノブ４の移動を電気的に検知するスイッチ５と、カバー部材３の外面３ａが押圧される方向に沿ってプッシュノブ４と並んで配置されたラバードーム６とを備える。カバー部材３が押圧されていない場合、プッシュノブ４がラバードーム６の復元力を受けてカバー部材３の内面３ｂに接する。【選択図】図２
2020170682.tif 000002
【特許請求の範囲】
【請求項１】
開口を有する筐体と、
前記開口を覆う可撓性を有するカバー部材と、
前記カバー部材の外面が押圧されることに応動して前記筐体内で移動する移動部材と、
前記移動部材の移動を電気的に検知する検知部と、
前記カバー部材の前記外面が押圧される方向に沿って前記移動部材と並んで配置された弾性部材とを備え、
前記カバー部材が押圧されていない場合、前記移動部材及び前記弾性部材の何れかの部材が前記カバー部材の内面に接している、
スイッチ装置。
【請求項２】
前記弾性部材は、その復元力により前記移動部材を前記カバー部材の前記内面に向かって付勢しており、
前記移動部材が前記カバー部材の前記内面に接している、
請求項１に記載のスイッチ装置。
【請求項３】
前記弾性部材は、前記移動部材の移動量に応じた圧縮量と前記復元力の大きさとの変化を示す復元力特性が、前記移動量が大きくなるに連れて前記復元力が極大値に向かって徐々に大きくなる第１勾配部と、前記極大値から極小値に向かって徐々に小さくなる第２勾配部とを有し、
前記カバー部材が押圧されていないとき、前記第１勾配部における前記極大値よりも小さな復元力が前記カバー部材の内面に作用する、
請求項２に記載のスイッチ装置。
【請求項４】
可視光を発する発光素子をさらに備え、
前記移動部材は、前記発光素子の発光光の少なくとも一部を透過させる透光性を有し、
前記移動部材に接する前記カバー部材の前記内面が、前記移動部材を透過した前記発光光により照射される、
請求項２又は３に記載のスイッチ装置。
【請求項５】
前記弾性部材は、前記移動部材と前記カバー部材との間に配置され、その一方の面が前記カバー部材の前記内面に接すると共に、他方の面が前記移動部材に接している、
請求項１に記載のスイッチ装置。
【発明の詳細な説明】
【技術分野】
【０００１】
本発明は、スイッチ装置に関する。
【背景技術】
【０００２】
従来、機器等に設けられて使用者が押し操作するスイッチ装置には、表面が可撓性を有するカバー部材に覆われ、このカバー部材の内部に設けられた機構によって使用者の押し操作を検知するものがある。このようなスイッチ装置は、カバー部材に絵柄や文字などの加飾を施すことができるので、意匠性が高まると共に、使用者による押し間違い等の操作ミスを防ぐことも可能となる。また、表面がカバー部材に覆われていることから、防水性にも優れている。
【０００３】
特許文献１には、水使用機器である炊飯器の操作部に、部分的に加飾を施した透明フィルム層と透明材料層と有色材料層を一体に形成した３層からなるパネルを有し、このパネルに覆われた部分にスイッチ及びキーが配置されている。パネルは、透明材料層及び有色材料層が一部において開口しており、この開口が透明フィルム層によって覆われている。キーは、この開口内に配置され、透明フィルム層の内面に隙間を介して対向している。開口を覆う部分の透明フィルム層は、外方に向かって凸状となっており、使用者がこの部分を押し操作すると透明フィルム層が撓んで隙間が詰まり、キーがスイッチに向かって移動する。これによりスイッチがオン状態となる。
【先行技術文献】
【特許文献】
【０００４】
【特許文献１】特開２００５−８０６８４号公報（段落［００２４］−［００２９］、図５参照）
【発明の概要】
【発明が解決しようとする課題】
【０００５】
表面がカバー部材に覆われたスイッチ装置では、カバー部材と内部の機構との間に隙間があると、使用者がカバー部材に触れたときに、カバー部材が浮いている感覚を与えてしまう。例えば特許文献１に記載のものでは、透明フィルム層とキーとの間に隙間があるので、この隙間が詰まるまでの間は透明フィルム層の変形に伴う反力だけが使用者の手指に作用し、隙間が詰まったときに底付き感が出てしまう。これにより、良好な操作感が得られないおそれがある。
【０００６】
そこで、本発明は、押し操作時の操作感を高めることが可能なスイッチ装置を提供することを目的とする。
【課題を解決するための手段】
【０００７】
［１］本発明は、上記目的を達成するために、開口を有する筐体と、前記開口を覆う可撓性を有するカバー部材と、前記カバー部材の外面が押圧されることに応動して前記筐体内で移動する移動部材と、前記移動部材の移動を電気的に検知する検知部と、前記カバー部材の前記外面が押圧される方向に沿って前記移動部材と並んで配置された弾性部材とを備え、前記カバー部材が押圧されていない場合、前記移動部材及び前記弾性部材の何れかの部材が前記カバー部材の内面に接している、スイッチ装置を提供する。
【０００８】
［２］前記弾性部材は、その復元力により前記移動部材を前記カバー部材の前記内面に向かって付勢しており、前記移動部材が前記カバー部材の前記内面に接している、上記［１］に記載のスイッチ装置であってもよい。
【０００９】
［３］前記弾性部材は、前記移動部材の移動量に応じた圧縮量と前記復元力の大きさとの変化を示す復元力特性が、前記移動量が大きくなるに連れて前記復元力が極大値に向かって徐々に大きくなる第１勾配部と、前記極大値から極小値に向かって徐々に小さくなる第２勾配部とを有し、前記カバー部材が押圧されていないとき、前記第１勾配部における前記極大値よりも小さな復元力が前記カバー部材の内面に作用する、上記［２］に記載のスイッチ装置であってもよい。
【００１０】
［４］可視光を発する発光素子をさらに備え、前記移動部材は、前記発光素子の発光光の少なくとも一部を透過させる透光性を有し、前記移動部材に接する前記カバー部材の前記内面が、前記移動部材を透過した前記発光光により照射される、上記［２］又は［３］に記載のスイッチ装置であってもよい。
【００１１】
［５］前記弾性部材は、前記移動部材と前記カバー部材との間に配置され、その一方の面が前記カバー部材の前記内面に接すると共に、他方の面が前記移動部材に接している、上記［１］に記載のスイッチ装置であってもよい。
【発明の効果】
【００１２】
本発明に係るスイッチ装置によれば、押し操作時の操作感を高めることが可能となる。
【図面の簡単な説明】
【００１３】
【図１】図１は、スイッチ装置の外観を示す外観斜視図である。
【図２】図２（ａ）は、カバー部材を取り外してスイッチ装置の内部を示す構成図である。図２（ｂ）は、図１のＡ−Ａ線断面図である。
【図３】図３は、スイッチ装置の筐体を構成する内枠、一対のプッシュノブ、及びラバードームを示す斜視図である。
【図４】図４（ａ）〜（ｄ）は、ラバードームの変形状態をスイッチと共に示す説明図である。
【図５】図５は、ラバードームの圧縮量と復元力との関係を示す復元力特性のグラフである。
【図６】図６（ａ）は、本発明の第２の実施の形態に係るスイッチ装置の筐体内の構成を示す構成図である。図６（ｂ）は、第２の実施の形態に係るスイッチ装置の断面図である。
【図７】図７（ａ）は、本発明の第３の実施の形態に係るスイッチ装置の筐体内の構成を示す構成図である。図７（ｂ）は、第３の実施の形態に係るスイッチ装置の断面図である。
【発明を実施するための形態】
【００１４】
（第１の実施の形態）
以下、本発明の第１の実施の形態に係るスイッチ装置について、図１乃至図５を参照して説明する。
【００１５】
図１は、スイッチ装置１の外観を示す外観斜視図である。図２（ａ）は、カバー部材３を取り外してスイッチ装置１の内部を示す構成図である。図２（ｂ）は、図１のＡ−Ａ線断面図である。図３は、スイッチ装置１の筐体２を構成する内枠２０２、一対のプッシュノブ４、及びラバードーム６を示す斜視図である。図４（ａ）〜（ｄ）は、ラバードーム６の変形状態をスイッチ５と共に示す説明図である。
【００１６】
このスイッチ装置１は、開口２０を有する筐体２と、筐体２の開口２０を覆うカバー部材３と、カバー部材３の外面３ａが押圧されることに応動して筐体２内で移動する移動部材としてのプッシュノブ４と、プッシュノブ４の移動を電気的に検知する検知部としてのスイッチ５と、カバー部材３の外面３ａが押圧される方向に沿ってプッシュノブ４と並んで配置された弾性部材としてのラバードーム６と、スイッチ５が搭載された基板７とを備えている。本実施の形態では、スイッチ装置１が二つのプッシュノブ４、スイッチ５、及びラバードーム６を備えている。
【００１７】
なお、以下の説明では、便宜上、図２（ｂ）における図面上方を上側とし、図面下方を下側として説明するが、この上側及び下側はスイッチ装置１の取り付け方向を限定するものではない。
【００１８】
スイッチ装置１は、例えば車両の車室内に配置され、運転者が例えば車室内の設定温度を上げ下げする際にカバー部材３の外面３ａを押し操作する。カバー部材３の外面３ａは意匠面であり、二つのプッシュノブ４にそれぞれ対応する位置に第１及び第２のマークＭ１，Ｍ２が施されている。カバー部材３は、可撓性を有するフィルム状の樹脂であり、第１のマークＭ１が施された部分の外面３ａが押し操作された場合には一方のプッシュノブ４が押圧され、第２のマークＭ２が施された部分の外面３ａが押し操作された場合には他方のプッシュノブ４が押圧される。
【００１９】
筐体２は、樹脂製の外枠２０１及び内枠２０２からなり、内枠２０２が外枠２０１の内側に嵌合固定されている。内枠２０２には、二つのプッシュノブ４をそれぞれ収容する第１収容部２１及び第２収容部２２が設けられており、第１収容部２１と第２収容部２２とが区画壁２３によって区画されている。第１収容部２１及び第２収容部２２は、内枠２０２を上下に貫通して設けられており、第１収容部２１及び第２収容部２２の下側が基板７によって閉塞されている。基板７は、例えばガラスエポキシ等の誘電体の表面に配線パターンが形成された平板状のソリッド基板である。
【００２０】
カバー部材３は、第１及び第２のマークＭ１，Ｍ２が施された外面３ａを有する平板状のパネル部３１と、パネル部３１の外縁からパネル部３１に対して垂直な方向に突出して形成された周壁部３２とを一体に有している。周壁部３２の内周面３２ａは、外枠２０１の外周面２０１ａに接着されている。第１収容部２１の上側開口２１０ならびに第２収容部２２の上側開口２２０は、それぞれが筐体２の開口２０であり、カバー部材３のパネル部３１によって覆われている。パネル部３１における外面３ａとは反対側の内面３ｂは、二つのプッシュノブ４のそれぞれの上面４ａに対向している。
【００２１】
プッシュノブ４は、例えば射出成型された樹脂からなり、パネル部３１の内面３ｂに対向する上面４ａを有する四角形状の上板部４１と、上板部４１における下面４ｂの中心部から基板７に向かって延びる円柱状の軸部４２と、軸部４２を囲むように上板部４１の外縁から下面４ｂに対して垂直に延びる側壁部４３とを一体に有している。側壁部４３には、一対の貫通孔４３０が軸部４２を挟む位置に設けられている。また、側壁部４３には、その外面４３ａから突出して複数の突片４３１が設けられている。なお、上板部４１の形状は、四角形状に限らず、例えば円形状であってもよい。この場合、側壁部４３は円筒状に形成される。
【００２２】
筐体２の内枠２０２には、プッシュノブ４の貫通孔４３０にそれぞれ係合する複数の係合突起２４が設けられている。本実施の形態では、第１収容部２１の内面２１ａから突出して二つの係合突起２４が設けられ、第２収容部２２の内面２２ａから突出して二つの係合突起２４が設けられている。第１収容部２１の内面２１ａは、第１収容部２１に収容されるプッシュノブ４の側壁部４３の外面４３ａに隙間を介して対向し、第１収容部２２の内面２２ａは、第２収容部２２に収容されるプッシュノブ４の側壁部４３の外面４３ａに隙間を介して対向している。
【００２３】
複数の係合突起２４は、カバー部材３を筐体２に取り付ける前の状態において、プッシュノブ４が第１収容部２１及び第２収容部２２から脱落しないように抜け止めしている。二つのプッシュノブ４は、筐体２の開口２０から第１収容部２１及び第２収容部２２にそれぞれ収容され、筐体２及びプッシュノブ４が弾性変形して係合突起２４が貫通孔４３０に係合する。係合突起２４の下面２４ａは、貫通孔４３０の内面４３０ａに向かい合っているが、カバー部材３が筐体２に取り付けられた状態では係合突起２４の下面２４ａと貫通孔４３０の内面４３０ａとの間に隙間が形成され、プッシュノブ４のカバー部材３側への移動が係合突起２４によって規制されないようになっている。
【００２４】
また、筐体２の内枠２０２には、カバー部材３の外面３ａが押圧された際のプッシュノブ４の動きをガイドする複数のガイド部２５が設けられている。それぞれのガイド部２５は、プッシュノブ４の突片４３１を挟んで互いに平行に延びる一対のレール２５１からなる。第１収容部２１に収容されるプッシュノブ４をガイドするガイド部２５は、第１収容部２１の内面２１ａに突設されており、第２収容部２２に収容されるプッシュノブ４をガイドするガイド部２５は、第２収容部２２の内面２２ａに突設されている。
【００２５】
カバー部材３の外面３ａが押圧されると、パネル部３１が弾性的に変形し、突片４３１がガイド部２５を摺動しながらプッシュノブ４が基板７に向かって移動する。なお、本実施の形態では、第１収容部２１及び第２収容部２２にそれぞれ二つのガイド部２５が設けられているが、ガイド部２５の数はこれに限らず、適宜の数のガイド部２５を筐体２に設けることができる。
【００２６】
ラバードーム６は、合成ゴムからなり、基板７に接する環状の基部６１と、基部６１の上側に設けられた大径円筒部６２と、大径円筒部６２のさらに上側に設けられた小径円筒部６４と、大径円筒部６２と小径円筒部６４との間の円環部６３と、小径円筒部６４の上側の端部を閉塞する円形の蓋部６５と、蓋部６５の中心部から基板７に向かって延びる心棒６６とを一体に有している。蓋部６５の上面６５ａは、プッシュノブ４の軸部４２の先端面４２ａに接している。基部６１の内側には、スイッチ５が配置されている。
【００２７】
スイッチ５は、図４に示すように、基板７に固定されたスイッチケース５１と、スイッチケース５１から一部が突出した可動部５２とを有し、ラバードーム６の心棒６６と基板７との間に配置されている。スイッチケース５１内には、図示しない一対の接点が収容されている。プッシュノブ４が基板７に向かって移動すると、プッシュノブ４の軸部４２に押圧されてラバードーム６が弾性変形し、ラバードーム６の心棒６６が可動部５２を押圧する。そして、可動部５２がスイッチケース５１内に押し込まれると、一対の接点が接触してスイッチ５がオン状態となる。これにより、プッシュノブ４の移動が電気的に検知される。
【００２８】
図４（ａ）では、ラバードーム６が押圧されていない自然状態を示している。この自然状態では、ラバードーム６の心棒６６とスイッチ５の可動部５２との間に隙間が形成されている。図４（ｂ）では、ラバードーム６の心棒６６がスイッチ５の可動部５２に接触した状態を示している。ラバードーム６の蓋部６５がプッシュノブ４の軸部４２に押圧されると、主として円環部６３が変形してラバードーム６が圧縮され、心棒６６が可動部５２に接触する。この状態からさらに蓋部６５が押圧されると、図４（ｃ）に示すように大径円筒部６２が座屈して心棒６６が下方に移動し、可動部５２が半押しされる。そして、この状態からさらに蓋部６５が押圧されると、図４（ｄ）に示すように小径円筒部６４が座屈して心棒６６がさらに下方に移動し、可動部５２が全押しされてスイッチ５がオン状態となる。
【００２９】
図５は、ラバードーム６の圧縮量と復元力との関係を示す復元力特性のグラフである。ラバードーム６が押圧されていない自然状態では、圧縮量及び復元力が共にゼロである。この自然状態から圧縮量が増加すると、復元力が徐々に大きくなり、圧縮量がＬ２に達すると復元力が極大値Ｐ２となる。圧縮量がＬ２からさらに増加すると、復元力が徐々に小さくなり、圧縮量がＬ３に達すると復元力が極小値Ｐ３となる。そして、圧縮量がＬ３からさらに増加すると、復元力が極大値Ｐ２を超えて大きくなる。すなわち、ラバードーム６の復元力特性は、プッシュノブ４の移動量が大きくなるに連れて復元力が極大値Ｐ２に向かって徐々に大きくなる第１勾配部Ｓ１と、極大値Ｐ２から極小値Ｐ３に向かって徐々に小さくなる第２勾配部Ｓ２と、極小値Ｐ３から極大値Ｐ２を超えて大きくなる第３勾配部Ｓ３とを有している。
【００３０】
ラバードーム６は、圧縮量がＬ２のときに心棒６６がスイッチ５の可動部５２に接触し、圧縮量がＬ３のときに心棒６６がスイッチ５の可動部５２をスイッチケース５１に押し込んでスイッチ５がオン状態となる。これにより、スイッチ装置１を操作する運転者等の使用者がカバー部材３の外面３ａを押し操作したときにクリック感を感じることができ、スイッチ５がオン状態となったことを触覚によって明確に認識することができる。
【００３１】
カバー部材３が押圧されていない場合には、ラバードーム６の復元力がカバー部材３の内面３ｂに作用する。本実施の形態では、ラバードーム６がその復元力によりプッシュノブ４をカバー部材３の内面３ｂに向かって付勢しており、プッシュノブ４の上面４ａがカバー部材３の内面３ｂに常に接している。これにより、カバー部材３が押圧されていない場合でも、プッシュノブ４とカバー部材３との間に隙間ができないようにされている。
【００３２】
カバー部材３が押圧されていないときには、第１勾配部Ｓ１における極大値Ｐ２よりも小さな復元力がカバー部材３の内面３ｂに作用する。具体的には、カバー部材３が押圧されていないときのラバードーム６の圧縮量が図５のグラフの横軸に示すＬ１であり、この圧縮量に対応する復元力Ｐ１がプッシュノブ４を介してカバー部材３の内面３ｂに作用する。Ｌ１はＬ２よりも小さな値であり、Ｌ１の圧縮量に対応する復元力Ｐ１は、極大値Ｐ２よりも小さく、極小値Ｐ３よりもさらに小さい。この復元力Ｐ１は、カバー部材３のパネル部３１を外面３ａ側に膨出させない程度の小さな力であり、例えば０．３Ｎ未満である。
【００３３】
（第１の実施の形態の効果）
以上説明した第１の実施の形態によれば、カバー部材３が押圧されていない場合でもカバー部材３の内面３ｂ側に隙間が形成されないので、使用者がカバー部材３の外面３ａに触れたときに、カバー部材３が浮いている感覚を使用者に与えない。これにより、使用者に良好な操作感を与えることができる。
【００３４】
（第２の実施の形態）
次に、本発明の第２の実施の形態について、図６を参照して説明する。図６（ａ）は、第２の実施の形態に係るスイッチ装置１Ａの筐体２内の構成を示す構成図である。図６（ｂ）は、スイッチ装置１Ａの断面図である。
【００３５】
第２の実施の形態に係るスイッチ装置１Ａは、第１の実施の形態に係るスイッチ装置１のプッシュノブ４に替えて透光性を有する材料で形成されたプッシュノブ４Ａを備え、さらに第１及び第２の発光素子８１，８２を追加したものである。プッシュノブ４Ａの材料としては、高い透光性を有するポリカーボネートを好適に用いることができるが、無着色のＡＢＳ樹脂（Acrylonitrile  Butadiene  Styrene）を用いてもよい。プッシュノブ４Ａは、第１の実施の形態に係るスイッチ装置１のプッシュノブ４と同様に、上板部４１と、軸部４２と、側壁部４３とを一体に有している。図７（ａ）及び（ｂ）において、第１の実施の形態に係るスイッチ装置１について説明したものと共通する構成要素については、図２等に付した符号と同一の符号を付して重複した説明を省略する。
【００３６】
第１及び第２の発光素子８１，８２は、例えば発光ダイオードであり、可視光を発する。第１の発光素子８１は、第１収容部２１における基板７上に実装され、第２の発光素子８２は、第２収容部２２における基板７上に実装されている。第１及び第２の発光素子８１，８２は、ラバードーム６と並んでプッシュノブ４Ａの側壁部４３に囲まれた範囲に実装されている。このため、プッシュノブ４Ａは、上板部４１及び側壁部４３が第１の実施の形態に係るプッシュノブ４よりも大きく形成されている。ただし、第１及び第２の発光素子８１，８２の位置はこれに限らず、第１収容部２１及び第２収容部２２内の任意の位置に第１及び第２の発光素子８１，８２を配置することができる。
【００３７】
プッシュノブ４Ａは、第１及び第２の発光素子８１，８２が発する発光光の少なくとも一部を透過させる透光性を有している。第１収容部２１に収容されたプッシュノブ４Ａの上面４ａに接するカバー部材３の内面３ｂは、当該プッシュノブ４Ａを透過した第１の発光素子８１の発光光により照射される。また、第２収容部２１に収容されたプッシュノブ４Ａの上面４ａに接するカバー部材３の内面３ｂは、当該プッシュノブ４Ａを透過した第２の発光素子８２の発光光により照射される。
【００３８】
また、本実施の形態では、プッシュノブ４Ａが接する部分のカバー部材３のパネル部３１に図１に示すものと同様の第１及び第２のマークＭ１，Ｍ２が施されており、第１及び第２のマークＭ１，Ｍ２が施された部分以外のパネル部３１には遮光性の着色が施され、第１及び第２のマークＭ１，Ｍ２の部分には半透明の着色が施されている。これにより、第１の発光素子８１の発光光が第１のマークＭ１が施された部分から外部に放射され、第２の発光素子８２の発光光が第２のマークＭ２が施された部分から外部に放射される。
【００３９】
（第２の実施の形態の効果）
以上説明した第２の実施の形態によれば、第１の実施の形態の効果に加え、プッシュノブ４Ａが透光性を有し、さらに第１及び第２の発光素子８１，８２を備えているので、例えば暗い室内でも第１及び第２のマークＭ１，Ｍ２を容易に視認可能である。また、プッシュノブ４Ａの上面４ａがカバー部材３の内面３ｂに接しているので、カバー部材３の内面３ｂでの光の反射が抑えられ、外部から見た場合の第１及び第２のマークＭ１，Ｍ２の明るさを高めることができる。
【００４０】
（第３の実施の形態）
次に、本発明の第３の実施の形態について、図７を参照して説明する。図７（ａ）は、第３の実施の形態に係るスイッチ装置１Ｂの筐体２内の構成を示す構成図である。図７（ｂ）は、スイッチ装置１Ｂの断面図である。
【００４１】
第３の実施の形態に係るスイッチ装置１Ｂは、第１の実施の形態に係るスイッチ装置１と同様に、筐体２と、筐体２の開口２０を覆うカバー部材３と、カバー部材３の外面３ａが押圧されることにより移動する二つのプッシュノブ４と、プッシュノブ４の移動を検知するスイッチ５と、プッシュノブ４を付勢するラバードーム６と、スイッチ５が搭載された基板７とを備えている。図６（ａ）及び（ｂ）において、第１の実施の形態に係るスイッチ装置１について説明したものと共通する構成要素については、図２等に付した符号と同一の符号を付して重複した説明を省略する。
【００４２】
第１の実施の形態にスイッチ装置１では、カバー部材３の内面３ｂに接する部材がプッシュノブ４であったが、第３の実施の形態に係るスイッチ装置１Ｂは、プッシュノブ４とカバー部材３との間に配置された板状のウレタンシート９を有しており、このウレタンシート９がカバー部材３の内面３ｂに接している。ウレタンシート９は、多孔質の弾性部材であり、一方の面９ａがカバー部材３の内面３ｂに接しており、他方の面９ｂがプッシュノブ４の上面４ａに接している。
【００４３】
ウレタンシート９は、カバー部材３とプッシュノブ４との間に挟まれて厚さ方向に僅かに圧縮されており、一方の面９ａがカバー部材３の内面３ｂに弾接（弾性的に接触）している。カバー部材３の外面３ａが押圧されていないとき、ウレタンシート９の復元力がカバー部材３の内面３ｂに作用する。
【００４４】
プッシュノブ４は、第１の実施の形態と同様、ラバードーム６の復元力によってカバー部材３側に付勢されているが、プッシュノブ４のカバー部材３側への移動は、係合突起２４の下面２４ａが貫通孔４３０の内面４３０ａに当接することによって規制されている。
【００４５】
なお、本実施の形態では、スイッチ装置１Ｂが単一のウレタンシート９を有し、このウレタンシート９が第１収容部２１の上側開口２１０ならびに第２収容部２２の上側開口２２０を覆っているが、第１収容部２１及び第２収容部２２のそれぞれに対応するように、スイッチ装置１Ｂが複数のウレタンシートを有していてもよい。また、カバー部材３とプッシュノブ４との間に配置される弾性部材は、ウレタンシート以外の弾性部材、例えばジェル状の弾性部材やゴムシート等であってもよい。
【００４６】
本実施の形態によれば、プッシュノブ４とカバー部材３との間に配置されたウレタンシート９により、カバー部材３の内面３ｂ側に隙間が形成されないので、第１の実施の形態と同様、使用者がカバー部材３の外面３ａに触れたときにカバー部材３が浮いている感覚を使用者に与えない。これにより、使用者に良好な操作感を与えることができる。
【００４７】
以上、本発明の第１乃至第３の実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。
【００４８】
また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００４９】
１，１Ａ，１Ｂ…スイッチ装置、２…筐体（移動部材）、２０…開口、２０１…外枠、２０１ａ…外周面、２０２…内枠、２１…第１収容部、２１０…上側開口、２１ａ…内面、２２…第２収容部、２２０…上側開口、２２ａ…内面、２３…区画壁、２４…係合突起、２５…ガイド部、２５１…レール、３…カバー部材、３１…パネル部、３２…周壁部、３２ａ…内周面、３ａ…外面、３ｂ…内面、４…プッシュノブ、４１…上板部、４２…軸部、４２ａ…先端面、４３…側壁部、４３０…貫通孔、４３１…突片、４３ａ…外面、４ａ…上面、４ｂ…下面、５…スイッチ（検知部）、５１…スイッチケース、５２…可動部、６…ラバードーム（弾性部材）、６１…基部、６２…大径円筒部、６３…円環部、６４…小径円筒部、６５…蓋部、６５ａ…上面、６６…心棒、７…基板、８１…第１の発光素子、８２…第２の発光素子、９…ウレタンシート、９ａ…一方の面、９ｂ…他方の面、Ｍ１…第１のマーク、Ｍ２…第２のマーク、Ｐ２…極大値、Ｐ３…極小値、Ｓ１…第１勾配部、Ｓ２…第２勾配部、Ｓ３…第３勾配部
【図１】
2020170682.tif 000003
【図２】
2020170682.tif 000004
【図３】
2020170682.tif 000005
【図４】
2020170682.tif 000006
【図５】
2020170682.tif 000007
【図６】
2020170682.tif 000008
【図７】
2020170682.tif 000009